(57)【要約】【課題】  人体の頚部、特に環椎部分およびその周辺のツボを的確に押圧して頚部の疲れを確実に癒すことを課題とする。【解決手段】  基台１と、この基台の中央位置から両端にかけて片側複数本ずつ対称的に立設されるピン状の指圧杆２１，２２，２３と、これら指圧杆を個々にクッション性を与えて下降動可能に支持する弾性体４とを備え、前記指圧杆の高さは基台の中央において左右対となす指圧杆２１，２１が最も低く、両端になるにしたがって順次高く形成したことにある。【選択図】  図３
2005224369.tif 000002
【特許請求の範囲】
【請求項１】
基台と、この基台の中央位置から両端にかけて片側複数本ずつ対称的に立設されるピン状の指圧杆と、これら指圧杆を個々にクッション性を与えて下降動可能に支持する弾性体とを備え、前記指圧杆の高さは基台の中央部において左右対をなす指圧杆が最も低く、両端になるにしたがって順次高く形成されていることを特徴とする頚部指圧器。
【請求項２】
前記指圧杆は、これに載る頚部に対し先端が頭頂側に所定角度傾斜して配設されている請求項１記載の頚部指圧器。
【請求項３】
前記指圧杆は、平面視横方向に一直線状に配設されている請求項１または請求項２記載の頚部指圧器。
【請求項４】
前記指圧杆は、これに頚部を載せたとき基台の中央部において左右対をなす指圧杆に対しその両側に配設される指圧杆が頭頂から離間する方向に平面視山形状に配列されている請求項１または２記載の頚部指圧器。
【請求項５】
前記指圧杆は、これに頚部を乗せたとき基台の中央部において左右対をなす指圧杆に対しその両側に配設される指圧杆が頭蓋骨の下端に沿う方向に平面視谷形状に配列されている請求項１または２記載の頚部指圧器。
【請求項６】
前記指圧杆は、前記基台に対し直角に嵌挿され、この基台の一端に設けられた脚により基台に傾斜を与えることにより前記指圧杆に頭頂側への傾きが与えられている請求項２記載の頚部指圧器。
【請求項７】
前記指圧杆は、前記基台に頭頂側への傾斜角を与えて斜めに嵌挿されている請求項２記載の頚部指圧器。
【請求項８】
前記指圧杆の上端には、ゴム、軟質合成樹脂等からなる滑り止め材が設けられている請求項１〜７のいずれか１項記載の頚部指圧器。
【請求項９】
前記指圧杆を弾性的に支持する手段が、前記基台に穿設される指圧杆挿着孔の底部に内設されたゴム等の弾性材で構成されている請求項１〜８いずれか１項記載の頚部指圧器。
【請求項１０】
前記基台に、指圧杆挿着孔を直列配置、山形配置、谷形配置として複数列種穿設し、使用時に指圧杆を所望の指圧杆挿着孔に嵌挿して使用可能とされている請求項１記載の頚部指圧器。
【発明の詳細な説明】
【技術分野】
【０００１】
本発明は指圧器に係り、特に人体の頚椎背部の押圧に用いる頚部指圧器に関する。
【背景技術】
【０００２】
人体において、仕事の如何を問わず脊椎の両側から首（頚部）の背部に至る僧帽筋に疲労が現われやすく、特に頭を支える頚椎周囲の筋肉が最も疲労を感じる箇所であり、その疲労に基因して肩こりや頭痛等の派生的な傷害をもたらすものとなる。
【０００３】
そこで整体（マッサージ）治療では、整体師が頭頂側から手指により頚椎、なかでも最上位の環椎部分を押圧することにより筋肉の疲れをほぐすようにして疲労感を取り除く治療が行われる。また環椎付近には「あ（“おし”の漢字のひらがな音に相当する）門（以下、“あ門”とする）」、「天柱」、「風池」、「風府」等の重要なツボが多数存在し、同様に手指によりこれらのツボを押圧することにより種々の効能を現わすとされている。
【０００４】
上記箇所の指圧治療は、専門の整体師によることが最も有効であるが、その治療には通院を余儀なくされ、また費用も嵩むことから自己において上記箇所を的確に押圧することができれば望ましい。
【０００５】
このようなことから、従来より人の指に代る指圧器として種々提供されている。
【０００６】
従来の指圧器は、台座に左右一対のローラまたは半球状の突状物を設け、このローラや突状物を頚部その他の筋肉に疲労を感じる箇所に押し当てることにより刺激を与え、該部の血行を促して疲れをほぐすようになされたものが一般に知られている。
【０００７】
しかしながら上記のような従来の指圧器では、単に筋肉を押圧して刺激を与えるのみであるから痛みを感じやすく、また関連するツボを的確に刺激することが難しいことから十分な指圧効果を得ることが困難であり、必ずしも良好な結果が得られないという問題があった。
【０００８】
これらの問題点を解消する技術を示す文献は見当たらない。
【発明の開示】
【発明が解決しようとする課題】
【０００９】
本発明はが解決しようとする課題は、人体の頚部、特に環椎部分およびその周辺のツボを的確に押圧することができ、頚部の疲れを確実に癒すことができる頚部指圧器を提供することにある。
【課題を解決するための手段】
【００１０】
上記課題を解決するための手段として本発明は、基台と、この基台の中央位置から両端にかけて片側複数本ずつ対称的に立設されるピン状の指圧杆と、これら指圧杆を個々にクッション性を与えて下降動可能に支持する弾性体とを備え、前記指圧杆の高さは基台の中央部において左右対をなす指圧杆を最も低く、両端になるにしたがって順次高く形成したことにある。
【００１１】
これにより、中央部の高さの低い指圧杆が環椎部分を押圧し、両側の順次高さを増す指圧杆が環椎周辺の筋肉を押圧することができることにより頚部の疲れを一様に指圧すると同等の治療効果を得ることができる。
【００１２】
請求項２は、前記指圧杆を頭頂側に所定角度傾斜して配設したもので、こうすることで頭蓋下部を押し上げる方向に押圧することができ、あたかも整体師の指の動きに近似した押圧状態が得られ、一層指圧効果を高めることができる。
【００１３】
請求項３は、指圧杆を平面視横方向に一直線状に配設したものであり、請求項４は、中央部に位置する左右一対の指圧杆に対しその両側に配設される指圧杆が頭頂から離間する方向に平面視山形状に配列したことにある。
【００１４】
また請求項５は、中央部に位置する左右一対の指圧杆に対しその両側に配設される指圧杆が頭蓋骨の下端に沿う方向に平面視谷形状に配列したことにある。
【００１５】
これらはいずれにも使用者の好みに応じて選択される。
【００１６】
請求項６は、指圧杆を基台に直角に嵌挿し、この基台の一端に設けた脚により基台に傾斜を与えることにより前記請求項２の傾斜角を与えるようにした態様であり、請求項７は、指圧杆を基台に頭頂側への傾斜角を与えて嵌挿し、これにより請求項２の傾斜角を与えるようにした態様である。
【００１７】
請求項８は、指圧杆の人体への当たりを柔げるとともに滑りを防止するため、指圧杆の先端にゴム、軟質合成樹脂等の滑り止め材を設けたことにある。
【００１８】
請求項９は、指圧杆を弾性的に支持する手段として、基台の指圧杆挿着孔の底部にゴム等の弾性材を内設したものである。なおこの弾性材としてはバネ材であってもよい。
【００１９】
請求項１０は、基台に指圧杆挿着孔を直列配置（請求項３）、山形配置（請求項４）、谷形配置（請求項５）として複数列種穿設し、使用時に指圧杆を所望の指圧杆挿着孔に嵌挿して使用可能としたものである。
【発明の効果】
【００２０】
本発明によれば、基台の中央位置から両端にかけて片側複数本ずつの指圧杆を左右対称として配設し、この指圧杆の高さを中央で左右対をなす指圧杆を最も低く、両端になるにつれて順次高く形成したことにより、中央部の指圧杆が頚椎の環椎部分を集中的に押圧し、その両端に続く指圧杆が頭部下端位置に存在する種々のツボおよび僧帽筋の上端を押圧して疲れをほぐし、これらにより従来の指圧器では得られぬ指圧効果を得ることができる。
【００２１】
また指圧杆は、個々にクッション性が与えられているので、頚部によくなじんで当接し、無理な押圧が回避されてソフト感覚で指圧効果を得ることができる。
【００２２】
請求項２のように、指圧杆を頭頂方向へ傾斜して配設することにより、整体師が手指により指圧する際の押圧方向と同様な作用を果たすので、一層快感が得られ、指圧効果を一段と高めることができる。
【００２３】
請求項３のように、指圧杆を一直線状に配設しても上記効果を得ることはできるが、請求項４のように指圧杆を平面視山形状配列とすれば、環椎への刺激を高めて頚椎への指圧効果を高めることができ、かつ頚部（首すじ）に至っている僧帽筋の頂部の疲れを良好に癒すことができる。
【００２４】
また請求項５のように、指圧杆を谷形状配列とすれば、主として前記僧帽筋の上端をはじめ頭蓋下部に存在する各種のツボを重点的に刺激し、ツボ指圧効果を発揮させることができる。
【００２５】
請求項６のように、基台に脚を取り付けて指圧杆に所定角度の傾斜を与える構成とすれば、指圧杆は基台に対しては直角となるので下降動によるクッション作用をスムーズに行わせることができ、また脚の取り付け位置を反対側にすることにより指圧杆の配列を山形状または谷形状の配列に変更して使用することができ、１台の指圧器により多様な使い方ができて応用範囲を拡大することができる。
【００２６】
請求項７によれば、基台を水平状態として使用することができるので、安定した使用感を得ることができる。
【００２７】
請求項８によれば、指圧杆の頚部への当たりをソフトでき、使用時に無用な痛みを与えることがなく、かつ頚部の滑り止め作用と相供って良好な指圧効果を得ることができる。
【００２８】
請求項９によれば、指圧杆の弾性支持手段として最も簡素な構成とすることができ、クッション性も無理なく適度に与えることができる。
【００２９】
請求項１０によれば、指圧杆の配列の各形態を選択して使用することができるので、一層使用範囲を拡大することができる。
【発明を実施するための最良の形態】
【００３０】
図１は本発明による頚部指圧器の一実施の形態の外観を斜視図で示し、図２は同平面図を、図３は同正面図を示している。
【００３１】
上記頚部指圧器は、基台１と、この基台１に片側複数本ずつ左右対称的に列設されるピン状の指圧杆２１，２１，２２，２２，２３，２３とを基本構成とし、これら指圧杆は弾性に抗して下降動可能とされており、図示の実施形態では片側３本ずつ計６本の指圧杆とした場合を示している。
【００３２】
上記指圧杆は、その高さが基台１の横方向中央部に位置する左右一対の指圧杆２１，２１が最も低く、両端になるにしたがって順次高く形成され、図１〜図３の実施形態では横方向に一直線上に配設されている。
【００３３】
前記基台１は、例えば天然木材、合成木材、合成樹脂材等により構成されるが図示の例では横幅１４０ｍｍ、奥行１２０ｍｍ程度の木材からなる基板１ａの奥行方向中央位置に基板１ａより幅狭の木材からなる枕台１ｂを固着して構成されており、この枕台１ｂに前記指圧杆（符号２で総称する）を垂直に摺動自在に嵌挿する指圧杆挿着孔３，３…が穿設されている。
【００３４】
前記基板１ａの前記指圧杆挿着孔３，３…と対応する位置には弾性体４としてのゴム、軟質合成樹脂等のブロックが埋設され、この弾性体４に前記指圧杆２の下端が当接されていて、指圧杆２の上端に人体の頚部が載ったとき弾性体４の弾性に抗して指圧杆２が下降動し、指圧杆２に適度なクッション性が与えられるようになっている。
【００３５】
また図６に使用状態を示すように、前記指圧杆２に人体の頚部Ａを載せたとき頚部Ｂの頭頂Ｂａ側とは反対側の基板１ａ下面に脚５，５が設けられ、基台１を水平面上に置いたとき指圧杆２が頭頂Ｂａ側に所定角度傾斜した姿勢におかれるようになっている。この脚５はゴム等で構成され、基台１の滑り止めとしての機能も併有している。
【００３６】
上記の傾斜角Ｑ（図４示）は、好ましくは２０°〜３０°の範囲内とされ、この傾斜により頚部Ａを載せたとき指圧杆２が頭蓋下部に対し斜めに当たり、人の指で頭蓋の下端を頭頂Ｂａ方向へ向けて押し上げると同等の指圧効果をもたらす。
【００３７】
前記傾斜角Ｑの設け方として、前記のように脚５，５により基台１自体に傾斜を与える手段によるほか、図８に示すように基台１は平坦のままとし、この基台１（枕台１ｂ）に指圧杆挿着孔３，３・・・を斜めに穿設することにより指圧杆２を最初から傾斜角θを与えて形成するようにしてもよい。この場合には、基板１ａの下面にゴム板等の滑り止め材６を添着することが好ましい。
【００３８】
前記指圧杆２の上端には、人体への当りを柔げると同時に滑りにくくするため、ゴム、軟質合成樹脂等からなる滑り止め材７が嵌着されている。この滑り止め材７の上端は肌を過度に刺激しないよう半球状に形成することが好ましい。
【００３９】
前記指圧杆２（２１〜２３）の配列の他の形態として、図５（Ａ）、（Ｂ）に示す態様がある。
【００４０】
図５（Ａ）は、頚部Ａを載せたとき基台１の中央部において左右対をなす指圧杆２１，２１に対しその両側に配列される指圧杆２２，２３が頭頂Ｂａから離間する方向に配設され、平面視において角度βの山形状の配列とした場合である。
【００４１】
この山形状配列とすれば、図７に模式的に示すように中央部の指圧杆２１，２１が頚部Ａの「あ門」ａ、「風府」ｂ（環椎部分）に当接し、その両隣りの指圧杆２２，２２が「天柱」ｃ，ｃに、さらにその両側の指圧杆２３，２３が「風池」ｄ，ｄに当接してこれらのツボを刺激するよう機能する。
【００４２】
これにより中央部の指圧杆２１，２１による押圧によって督脈、すなわち体の背面の経路が調整され、「天柱」ｃ，ｃおよび「風池」ｄ，ｄの押圧により頭重、高血圧、肩こり、疲れ眼等の治癒に寄与する。
【００４３】
図５（Ｂ）は、頚部Ａを載せたとき基台１の中央部において左右対をなす指圧杆２１，２１に対しその両側に配列される指圧杆２２，２２が頭蓋骨の下端にそう方向に配列されていて、平面視谷形状の配列となっている。
【００４４】
この配列によれば、中央部において左右対をなす指圧杆２１，２１が「第二頚椎点」ｅ，ｅを、それに続く指圧杆２２，２２が「天柱」ｃ，ｃ、「風池」ｄ，ｄを押圧して刺激を与え、偏頭痛、難聴、腎臓機能等を含む障害除去に効果を発揮する。
【００４５】
したがって使用者が快適に感じる形態の配列を選択して用いることにより最も効能のある指圧器として使用することができる。
【００４６】
前記図５（Ａ）、（Ｂ）の態様の構成は、これらを予め専用モデルとして形成してもよいが、図９に示すように基台１の脚５，５の取り付け位置を変更し得るよう、ネジ８による固定手段を採用することにより脚５，５を前後に位置を付け替えて配列の異る、すなわち山形状配列または谷形状配列の指圧器として選択使用することができるように構成することができる。
【００４７】
このほか図１０に示すように、基台１に穿設する指圧杆挿着孔３を前記図１、図２のような直線状配列、前記図５（Ａ）の山形状配列、図５（Ｂ）の谷形状配列として穿設しておき、使用者の好みの配列に指圧杆２１，２３を挿着して使用するようにすることもできる。
【００４８】
図１１は、指圧杆２が基台１の指圧杆挿着孔３から乱りに抜けて紛失することがないようにするため、指圧杆２の下端に大経部９を設け、基台１の枕台１ｂに穿設する指圧杆挿着孔３の上端部内周にストッパ１０を設けるようにして指圧杆２が抜け止めされるようになされたものである。
【００４９】
この場合には、枕台１ｂを基板１ａに固着する前に、滑り止め材７を外した指圧杆２を指圧杆挿着孔３の下から挿通したのち枕台１ｂを基板１ａに固着し、次いで指圧杆２の上端に滑り止め材７を嵌着することにより組み立てられる。
【００５０】
図１２は、不使用時に指圧杆２が突出して嵩張り、収納や携帯に不便になることを回避する手段として、枕台１ｂに横穴状の指圧杆格納孔１１を指圧杆２の本数分穿設しておき、指圧器の不使用時や携帯時に指圧杆２を指圧杆格納孔１１に差し込んで格納しておけるようにしたものである。
【００５１】
次に本発明の作用を説明する。
【００５２】
図１〜図４に示す実施形態においては、図６に示すように指圧杆２の傾斜方向を頭頂Ｂａ側として基台１を置き、その指圧杆２の上に頚部Ａを載せると、各指圧杆２１，２２，２３の上端は頚部Ａの環椎部分の範囲に当り、各指圧杆２１，２２，２３が環椎付近に存在する主要なツボを刺激して体内機能の活性化が図られると同時に憎帽筋の上端部分が押されて筋肉がほぐされ、血行が促進されて疲れを癒すことができる。
【００５３】
この場合、各指圧杆２１，２２，２３が頭頂Ｂａ側へ傾斜していることにより頭蓋方向へ反力が作用し、あたかも整体師が手指で押圧するのと同様な感触が得られ、併せて治療効果が増進される。
【００５４】
また各指圧杆２１，２２，２３は個々に弾性体４による弾性に抗して下降動することにより、頚部Ａの形状の個人差に応じて無理なくなじみ、痛みを感じることなく適度な押圧をなさしめることができる。
【００５５】
指圧杆２１，２２，２３の配列を図５（Ａ）に示す山形状としたものでは、主要なツボである「あ門」ａ、「天柱」ｃ，ｃ「風池」ｄ，ｄ等をピンポイントで押圧してツボ押し効果を高めることができる。
【００５６】
また図５（Ｂ）に示す谷形状配列としたものでは、中央に位置する指圧杆２１，２１は「第二頸椎点」ｅ，ｅから頭蓋の下縁にそって「風池」ｄ，ｄおよび憎帽筋の上端部を主に押圧し、肩こりや背中の疲れを癒すことができる。
【００５７】
このように頚部Ａの疲れ具合いに応じ前記のいずれかの指圧杆配列を選択することにより、症状に対し最も適した指圧器とすることができ、指圧器の利用範囲を大幅に拡大することができる。
【００５８】
なお、図示の実施形態では、指圧杆を片側３本ずつとした場合を示したが、片側２本または４本としてもよい。
【図面の簡単な説明】
【００５９】
【図１】本発明による頚部指圧器の基本形態を示す斜視図。
【図２】同、平面図。
【図３】同、正面図。
【図４】同、断面図。
【図５】（Ａ）、（Ｂ）は指圧杆の配列例を示す略示平面図。
【図６】使用状態を示す説明図。
【図７】人体頚部のツボの位置を示す説明図。
【図８】指圧杆に傾斜を与える他の実施形態を示す側面図。
【図９】（Ａ）、（Ｂ）は図１における脚を取り付け位置可変とした実施形態を示す一部を断面とした側面図。
【図１０】一台の基台に指圧杆を直列、山形状、谷形状の三様の形態として挿着して使用し得るようにする場合の基台の平面図。
【図１１】指圧杆を抜け止め構造とした場合の一例を示す断面図。
【図１２】不使用時に指圧杆を基台に格納してコンパクトな形態とし得るようにする場合の一例を示す断面図。
【符号の説明】
【００６０】
１  基台
１ａ  基板
１ｂ  枕台
２（２１，２２，２３）  指圧杆
３  指圧杆挿着孔
４  弾性体
５  脚
６  滑り止め材
７  滑り止め材
８  止めネジ
９  大経部
１０  ストッパ
１１  指圧杆格納孔
Ａ  頚部
Ｂ  頭部
Ｂａ  頭頂
ａ  あ門
ｂ  風府
ｃ  天柱
ｄ  風池
ｅ  第二頚椎
【図１】
2005224369.tif 000003
【図２】
2005224369.tif 000004
【図３】
2005224369.tif 000005
【図４】
2005224369.tif 000006
【図５】
2005224369.tif 000007
【図６】
2005224369.tif 000008
【図７】
2005224369.tif 000009
【図８】
2005224369.tif 000010
【図９】
2005224369.tif 000011
【図１０】
2005224369.tif 000012
【図１１】
2005224369.tif 000013
【図１２】
2005224369.tif 000014